(57)【特許請求の範囲】
【請求項１】
入金口と、
前記入金口に投入された貨幣を繰り込んで識別する識別手段と、
入金承認指示と前記識別手段における識別結果に基づいて前記貨幣を所定の場所に収納する貨幣収納部と、
出金指示に基づいて前記貨幣収納部から繰り出された貨幣を放出する出金口と、
種々の動作モードを切換指定するモード指定手段と、
前記貨幣収納部内の貨幣在高を記憶管理する在高記憶部を備えた貨幣入出金機において、
前記モード指定手段で、前記貨幣入出金機の保守点検を行う保守モードを、前記在高記憶部の在高の消去を禁止するモードと、前記在高記憶部の在高の消去を許容するモードを指定可能としたことを特徴とする貨幣入出金機。
【請求項２】
入金口と、
前記入金口に投入された貨幣を繰り込んで識別する識別手段と、
入金承認指示と前記識別手段における識別結果に基づいて前記貨幣を所定の場所に収納する貨幣収納部と、
出金指示に基づいて前記貨幣収納部から繰り出された貨幣を放出する出金口とを備えた貨幣入出金機において、
複数の保守モードを有し、
前記貨幣収納部からの貨幣の繰り出しが不可能な第１の保守モードを指定する第１の保守モード指定手段と、
前記貨幣収納部からの貨幣の繰り出しが可能な第２の保守モードを前記第１の保守モード指定手段よりセキュリティレベルの高い入力により指定する第２の保守モード指定手段と、
前記貨幣収納部内の貨幣在高を記憶管理する在高記憶部とを有し、
前記第１の保守モード指定手段により第１の保守モードが指定された場合は前記貨幣収納部以外の保守点検を許容し、少なくとも貨幣収納部から貨幣を繰り出す出金系の指令を禁止し、前記第２の保守モード指定手段により第２の保守モードが指定された場合は前記貨幣収納部を含む全ての保守点検を許容し、貨幣収納部から貨幣を繰り出す出金系の指令も許容するとともに、第１の保守モードが指定された場合は前記在高記憶部の在高の消去を禁止し、第２の保守モードが指定された場合には前記在高記憶部の在高の消去を許容する制御手段と、を具備したことを特徴とする貨幣入出金機。
【請求項３】
前記貨幣収納庫を操作可能状態に開放する扉部にパスワード入力により施錠・解錠を行うコンビネーションロックを更に有し、
第２の保守モード指定手段は前記コンビネーションロックヘのパスワード入力であることを特徴とする請求項２に記載の貨幣入出金機。
【請求項４】
前記制御部は第１の保守モードが指定された場合であっても、前記在高記憶部の全ての在高がゼロの場合は、第２の保守モードが指定された場合と同様に貨幣収納部から貨幣を繰り出す出金系の指令も許容することを特徴とする請求項２に記載の貨幣入出金機。
【請求項５】
第２の保守モードにあるときに、一旦電源をオフしたときには、再度第２の保守モードに移行するには、前記第１および第２の保守モードの指定を必要とすることを特徴とする請求項２に記載の貨幣入出金機。
【発明の詳細な説明】
【技術分野】
【０００１】
本発明は貨幣入出金機に係り、特に入金口に投入された貨幣を繰り込んで識別し、入金承認指示に基づいて貨幣収納部へ収納する入金処理と、出金指示に基づいて貨幣収納部から貨幣を繰り出して出金口ヘ放出する出金処理とを行う貨幣入出金機において、この貨幣入出金機の保守点検を行う際の貨幣取扱いのセキュリティの向上に関する。
【背景技術】
【０００２】
入金口に投入された貨幣を繰り込んで識別し、入金承認指示に基づいて貨幣収納部へ収納する入金処理と、出金指示に基づいて貨幣収納部から貨幣を繰り出して出金口ヘ放出する出金処理とを行う貨幣入出金機は、金融機関等において、テラーが取り扱う機械として広く用いられている。【０００３】
この貨幣入出金機の典型的な従来例としては特開２００４−１４５６００公報に記載されたものが知られている。【０００４】
この文献に記載された貨幣入出金機は、紙幣のみを取り扱う紙幣入出金機となっているが、一般的には硬貨も取り扱えるようになっている。【０００５】
紙幣入出金機の場合、上部ユニットと下部ユニットに大別され、上部ユニットは入金される紙幣が投入される入金口、出金されるべき紙幣を投出する出金口、入金の際に識別計数された紙幣が一時的に保持される一時保留部、入金された紙幣の真偽、正損、金種等を識別する識別部等を有し、下部ユニットは金種別の紙幣収納部を複数有しており、入金が確定した紙幣および出金用の紙幣が金種別に収納される。【０００６】
この下部ユニットは大容量の金庫にすることができ、安全性を高めるために、例えば、パスワード入力により前面扉の施錠および解錠を行うコンビネーションロックを配置することが可能である。【０００７】
この様な貨幣入出金機では一般的に、保守点検を行う為のＲＡＳ(Reliability, Availability, Serviceability；信頼性、稼働性、保守性)機能を実行するＲＡＳプログラムを有しており、所定の操作を行うことによってＲＡＳモードに入ることができる。このＲＡＳモードでは、入金処理、出金処理、補充処理、回収処理、等の各紙幣取扱処理の動作確認や、各機構部を動作させるイニシャルリセット処理、各センサ類やモータ等の駆動部の動作状況を確認する動作確認処理、等を行えるようになっている。そして、この様なＲＡＳモードによる保守点検は、通常、機械の販売会社側の保守員により定期的に行われる。【０００８】
一方、貨幣入出金機がＲＡＳモードに入ると、出金処理や回収処理によって誰でも紙幣収納部内の紙幣を自由に取り出すことができる無防備な状態となって、紙幣の紛失事故等が発生する危険性もある。【０００９】
このため、ＲＡＳモードに入ることのできる人間を制限するため、セキュリティプラグが開発されている。これは、図１に示すように、内部に回路を有する小さなボックス１から延出したコード２の先端に本体側のコネクタと係合するコネクタプラグ３（例えばＵＳＢプラグ）を有するものである。このプラグ３を保守時に装置内の所定位置、例えば制御基板に連結することにより、ボックス１に内蔵された回路から発生される例えば特定のコードが許可対象コードと一致することが制御基板内で確認されない限りＲＡＳモードへの移行が行われないようになっている。このセキュリティプラグは金融機関等の管理者、保守員など、信頼の置ける一定の権限を有する係員のみに渡されるため、セキュリティを大きく向上させることができる。【００１０】
このようなセキュリティプラグを使用した保守作業について図２のフローチャートを参照して説明する。【００１１】
まず、銀行員より借用した上部ユニット用鍵を挿入して上部ユニットを本体側に固定している錠を解錠する（ステップＳ１０１）。【００１２】
これにより、上部ユニットが引き出し可能となるため、上部ユニットが引き出される（ステップＳ１０２）。【００１３】
この引き出された状態で現れた制御基板に設けられたコネクタにＲＡＳセキュリティプラグが装着される（ステップＳ１０３）。【００１４】
同様に、上部ユニットが引き出された状態で現れた、操作部中のリモート／ローカルのモード切替スイッチがローカル側に切り替えられる（ステップＳ１０４）。【００１５】
上部ユニットを本体中に戻してセットし、電源スイッチをＯＮにする（ステップＳ１０５）。【００１６】
次に、ＲＡＳ操作部中のＲＡＳ起動コマンド「ＦＦ」および「ＳＴＡＲＴ」を押下する（ステップＳ１０６）。【００１７】
これにより下部の金庫扉のメカキーが作動可能状態になるため、キーを時計方向に回し、金庫扉開閉レバーを操作することにより、金庫扉が開放される（ステップＳ）。【００１８】
以上でＲＡＳの起動が完了するため、以降は、ＲＡＳコマンド全てを使用して保守作業を続行することが可能となる。
【特許文献１】特開２００４−１４５６００公報
【発明の開示】
【発明が解決しようとする課題】
【００１９】
しかしながら、このような従来の貨幣入出金機においては次のような問題があった。
第１に、一旦ＲＡＳモードに入ると、セキュリティプラグを持っている係員のみでなく、誰でも出金処理や回収処理によって紙幣収納部内の紙幣を取り出すことができる為、保守員が保守点検を行っている間、銀行等の管理者が監視しなければならないという問題があった。【００２０】
第２に、セキュリティプラグを特定の係員のみに配備している関係上、そのセキュリティプラグの管理を厳重に行わなければならず管理面で面倒であった。【００２１】
したがって、本発明は、セキュリティプラグを用いることなく、セキュリティを確保させた貨幣入出金機を提供することを目的とする。
【課題を解決するための手段】
【００２２】
本発明の第１の態様によれば、
入金口と、
前記入金口に投入された貨幣を繰り込んで識別する識別手段と、
入金承認指示と前記識別手段における識別結果に基づいて前記貨幣を所定の場所に収納する貨幣収納部と、
出金指示に基づいて前記貨幣収納部から繰り出された貨幣を放出する出金口と、
種々の動作モードを切換指定するモード指定手段と、
前記貨幣収納部内の貨幣在高を記憶管理する在高記憶部を備えた貨幣入出金機において、
前記モード指定手段で、前記貨幣入出金機の保守点検を行う保守モードを、前記在高記憶部の在高の消去を禁止するモードと、前記在高記憶部の在高の消去を許容するモードを指定可能としたことを特徴とする。  
【００２３】
本発明の第２の態様によれば、
入金口と、
前記入金口に投入された貨幣を繰り込んで識別する識別手段と、
入金承認指示と前記識別手段における識別結果に基づいて前記貨幣を所定の場所に収納する貨幣収納部と、
出金指示に基づいて前記貨幣収納部から繰り出された貨幣を放出する出金口とを備えた貨幣入出金機において、
複数の保守モードを有し、
前記貨幣収納部からの貨幣の繰り出しが不可能な第１の保守モードを指定する第１の保守モード指定手段と、
前記貨幣収納部からの貨幣の繰り出しが可能な第２の保守モードを前記第１の保守モード指定手段よりセキュリティレベルの高い入力により指定する第２の保守モード指定手段と、
前記貨幣収納部内の貨幣在高を記憶管理する在高記憶部とを有し、
前記第１の保守モード指定手段により第１の保守モードが指定された場合は前記貨幣収納部以外の保守点検を許容し、少なくとも貨幣収納部から貨幣を繰り出す出金系の指令を禁止し、前記第２の保守モード指定手段により第２の保守モードが指定された場合は前記貨幣収納部を含む全ての保守点検を許容し、貨幣収納部から貨幣を繰り出す出金系の指令も許容するとともに、第１の保守モードが指定された場合は前記在高記憶部の在高の消去を禁止し、第２の保守モードが指定された場合には前記在高記憶部の在高の消去を許容する制御手段と、を具備したことを特徴とする。
【発明の効果】
【００２４】
本発明によれば、現金管理者（銀行の行員等）がいなくても操作できるＲＡＳであって、装置内に紙幣が存在している場合、すなわち全てのカウンタが０でない場合に、出金処理や回収処理を指示する出金系コマンドと在高記憶部であるＲＡＭのクリアコマンドは使用できないセキュリティレベル０のＲＡＳと、現金管理者（銀行の行員等）によるコンビネーションロックの解除を行うことによりはじめてＲＡＳが起動でき、在高記憶部の在高の消去を含む全てのコマンドを許容するとともにセキュリティレベル１のＲＡＳとの２つのセキュリティレベルを有していることを特徴としているので、通常の保守は銀行員の時間を拘束することなく各機構部の動作確認や入金系の処理、つまり入金口から一時保留部に集積させるまでの処理、等の動作確認の保守作業ができ、装置金庫内に現金がある場合は現金管理者の立会、操作の元で保守作業を行うことで厳密な現金管理が可能となり、顧客も安心して保守作業を任せることができる。
【図面の簡単な説明】
【００２５】
【図１】は従来のＲＡＳモードを実行するために用いられるＲＡＳセキュリティプラグを示す斜視図である。
【図２】は従来の貨幣入出金機における保守作業の手順を示すフローチャートである。
【図３】は本発明が適用される貨幣入出金機の一例としての紙幣入出金機の外観を示す斜視図である。
【図４】は図３に示した紙幣入出金機の概略構成を示す断面図である。
【図５】は図３に示した紙幣入出金機の概略構成を示すブロック構成図である。
【図６】は本発明におけるＲＡＳモードでの保守作業の手順を示すフローチャートである。
【図７】は保守モードにおいて、上部を引き出した様子を示す斜視図である。
【図８】は本発明のＲＡＳモードにおける表示部での表示例を示す説明図である。
【発明を実施するための最良の形態】
【００２６】
以下、図面を参照して本発明の実施例につき詳細に説明する。
図３は、本発明が適用される貨幣入出金機の全体の概略構成を示す斜視図、図４はその断面図である。ここでは紙幣のみを扱う紙幣入出金機を例にとって説明する。【００２７】
紙幣入出金機１０は、上部ユニット２０と下部ユニット３０から構成されており、上部ユニット２０は、処理すべき紙幣が投入される入金口２１、出金指示に基づいて紙幣が放出される出金口２２、装置の状態やデータを表示する表示部２３、装置に対する指令を与えるための操作ボタン等からなる操作部２４を上面に備えており、内部には各構成要素間で紙幣を搬送する搬送路と駆動機構からなる搬送手段２５、入金された紙幣の真偽、正損、金種等を識別する識別部２６、入金の際に識別計数された紙幣が一時的に保持される一時保留部２７等を有している。【００２８】
下部ユニット３０は全体が引き出し可能な金庫の形態をなしており、その中には金種別の紙幣収納部３２を複数有しており、入金が確定した紙幣および出金用の紙幣が金種別に収納される。【００２９】
下部ユニット３０の前面の扉３３は必要に応じて開くことができ、そのための取っ手３４や後述する扉を開くためのコンビネーションロック３５が扉３３に設けられている。【００３０】
このような紙幣入出金機１０では入金口２１に投入された紙幣は識別部２６により識別され、正券は一時保留部２７に集積され、正券と判別されなかった紙幣はリジェクト紙幣として出金口２２に集積された後、オペレータの手によって再度入金口に投入され再識別が行われる。そして、全ての紙幣が一時保留部に集積された時点でオペレータが入金承認指示を行えば一時保留部の紙幣が繰り出されてそれぞれの金種の収納部３２に搬送されて収納される。また、出金の際にはそれぞれの紙幣収納部から繰り出された紙幣が入金のときとは逆方向に搬送され、識別部２６で確認された後出金口２２から投出される。以上の動作は良く知られているので、これ以上の詳細な説明は省略する。なお、図４中の矢印は出金時の紙幣の流れを示している。【００３１】
また、図５に示されるように、以上説明した各要素はマイクロプロセッサ等でなる制御手段４０にバス４１で接続されており、さらにこのバスにはホストコンピュータ等との間で情報を送受信するための通信部３６、および記憶手段３７が接続されている。記憶手段３７は装置内の各種のデータ、例えば各収納部における在高量、を記憶する。【００３２】
次に、本発明の特徴をなす、ＲＡＳモードによる保守作業について図６のフローチャートを参照して説明する。【００３３】
まず、銀行員より借用した上部ユニット用鍵を挿入して上部ユニットを本体側に固定している錠を解錠する（ステップＳ２０１）。【００３４】
これにより、上部ユニットが引き出し可能となるため、上部ユニットが引き出される（ステップＳ２０２）。【００３５】
図７は保守作業を行うために上部ユニット２０を引き出した様子を示す斜視図であり、リモート／ローカルモード切替スイッチ２９が現れている。【００３６】
このリモート／ローカルのモード切替スイッチがローカル側に切り替えられる（ステップＳ２０３）。【００３７】
上部ユニット２０を本体中に戻してセットし、電源スイッチをＯＮにする（ステップＳ２０４）。【００３８】
これ以降セキュリティレベルを考慮した処理が行われる。本発明においてはセキュリティレベルを複数有しており、保守作業の内容に応じてこれらを切り換えるようにしているためである。これは保守員が装置を保守する際に現金に触れる必要がないコマンドも多数あることを考慮したものである。【００３９】
すなわち、この実施の形態では、セキュリティレベルは２つとなっており、現金管理者（銀行の行員等）がいなくても操作できるＲＡＳレベルであるセキュリティレベル０と、現金管理者（銀行の行員等）がいないと操作できないＲＡＳレベルであるセキュリティレベル１を有している。このセキュリティレベル１では出金系のコマンドとＲＡＭ内容をクリアするコマンドを使用することが可能である。【００４０】
まず、装置内のすべての紙幣在高値が００であるかどうかが記憶手段３７に記憶された在高値を参照することにより判断され（ステップＳ２０５）、すべて０であるときにはステップＳ２２２にジャンプし、ＲＡＳ操作部でＲＡＳ起動コマンド「ＦＦ」「ＳＴＡＲＴ」が押下されると、ＲＡＳセキュリティレベル１の起動が完了する。この場合には、装置内のどこにも紙幣が存在していないため、盗難等の心配をする必要がないからである。【００４１】
このセキュリティレベル１ではすべての命令を使用することができる。装置内の紙幣の有無は記憶手段中の在高値でしか判断できないため、在高値を０にすることが可能なＲＡＭクリアコマンドはセキュリティレベル１でしか使用できないが、この場合のようにもともと０になっている場合にはこの命令を使用可能としても実害は生じない。【００４２】
一方、装置内の紙幣カウンタのいずれかが０でない場合、金庫内の紙幣にアクセスが必要かどうかを判断される（ステップＳ２０６）。【００４３】
金庫内の紙幣にアクセスする必要がない場合にはステップＳ２１１に移行し、ＲＡＳ操作部でＲＡＳ起動コマンド「ＦＦ」「ＳＴＡＲＴ」が押下される。これにより、ＲＡＳセキュリティレベル０の起動が完了する。【００４４】
このセキュリティレベル０では金庫を開けることはできず、また出金系コマンドと記憶手段中の在高クリアコマンドなどは使用できない。すなわち、入金口２１から紙幣を入金して一時保留部２７に集積させたり、一時保留部２７の紙幣を返却させたりする入金系コマンドは使用できるが、金庫内の紙幣を出金口２２へ投出する出金コマンドや回収コマンドは受け付けないようになっている。【００４５】
一方、金庫内の紙幣にアクセスする必要があるときには、行員によりコンビネーションロックにパスワードを入力することよりその解除を行い、下部ユニットの金庫扉を開閉可能な状態とする（ステップＳ２２１）。そして、ＲＡＳ操作部でＲＡＳ起動コマンド「ＦＦ」「ＳＴＡＲＴ」が押下されると（ステップＳ２２２）、ＲＡＳセキュリティレベル１の起動が完了し、このレベルでは、入金／出金を含め金庫内の紙幣を出し入れするコマンドを含め、全てのＲＡＳコマンドを使用することができる。【００４６】
このＲＡＳセキュリティレベル１においては、紙幣の紛失等が発生しないよう、コンビネーションロックの解除を行った行員には引き続き作業の継続中は立ち会うことになる。【００４７】
なお、一旦ＲＡＳセキュリティレベル１に移行した後に電源をオフさせ、電源を再投入して再度ＲＡＳセキュリティレベル１に移行するには前述したのと同様なコンビネーションロックの解除が再度必要となる。【００４８】
図８は操作部２４の操作による表示部２３の表示内容の変化を説明する説明図である。【００４９】
表示部２３は図８に示すように、装置の状態を表示する状態表示部２３ａ、コマンド表示部２３ｂ、ＲＡＳデータ表示部２３ｃ、ＲＡＳモード時の押しボタンの機能表示部２３ｄを有している。【００５０】
状態表示部２３ａは模式的な装置の各部における紙幣量を黒部分の量で表現している。各収納部のみでなく、入金口、出金口、一時保留部等に紙幣が存在する時も同様に黒く表示される。例えば図８Ａと８Ｃでは収納部のみに紙幣が存在していることが示されているが、図８Ｂでは出金口にも紙幣が存在していることが示されている。【００５１】
コマンド表示部２３ｂはコマンドの番号を表示する。ＲＡＳコマンドの例としては次のようなものがある。  
１１：出金  
１２：回収  
１３：在高クリア  
また、入金系コマンドとしては、次のようなものがある。  
２１：入金  
２２：補充  
２３：一時保留部の紙幣の収納【００５２】
これらのコマンドを指定するには表示部２３の下にある押しボタンを操作する。この押しボタンの機能はモードによって変化するようになっているが、ＲＡＳモード時には左から右へ順にスタートボタン２４ａ、キャンセルボタン２４ｂ、１０の位を上げるための１０ＵＰボタン２４ｃ、１の位を上げるための１ＵＰボタン２４ｄとなっているので、１０ＵＰボタン２４ｃを押すことにより図８Ａのようにコマンド表示部２３ｂにはコマンド１０が表示され、さらに１ＵＰボタン２４ｄを押すと図８Ｂのようにコマンド１１が表示される。【００５３】
図８ＢはＲＡＳセキュリティレベル１の状態でコマンド１１を実行させるべくスタートボタン２４ａを押した様子を示す。【００５４】
このＲＡＳセキュリティレベル１では出金コマンドを受け付けるため、各金種について、所定枚数出金して、払い出しが終了したこと、および払い出し金額がＲＡＳデータ表示部２３ｃに表示される。この例の場合には１８０００  ＵＳドルを払い出して終了したことが示されている。【００５５】
これに対し、図８ＣはＲＡＳセキュリティレベル０のモードにおいて出金指令（コマンド１１）についてスタートボタン２４ａが押された場合を示している。【００５６】
ところが、ＲＡＳセキュリティレベル０のモードの場合には、前述したように出金系のコマンドを禁止しているため、データ表示部２３ｃには「Input Error」と表示され、以降の指令を受付けない。この場合、セキュリティを維持するため、エラーの原因については表示されない。【００５７】
以上のように、この実施の形態では、銀行員の時間を拘束せずに装置の保守ができるレベルと、装置の金庫内に格納されている紙幣にアクセスする場合は銀行員が立ち会っていなければ起動できないレベルの２つのＲＡＳセキュリティレベルを具備しているので、通常の保守は銀行員の時間を拘束することなく保守作業ができ、装置金庫内に現金がある場合は現金管理者の立会、操作の元で保守作業を行うことで厳密な現金管理が可能となり、銀行側も安心して保守作業を任せることができる。【００５８】
以上、実施例に基づいて本発明を説明したが、本発明の精神に沿って、請求の範囲により定義される範囲内で本発明を種々に変形することができる。【００５９】
例えば、セキュリティレベルは実施例では２つであったが、３以上のレベルとしても良い。
【図１】
0004294690.tif 000002
【図２】
0004294690.tif 000003
【図３】
0004294690.tif 000004
【図４】
0004294690.tif 000005
【図５】
0004294690.tif 000006
【図６】
0004294690.tif 000007
【図７】
0004294690.tif 000008
【図８】
0004294690.tif 000009